【手続補正書】
【提出日】平成28年8月4日(2016.8.4)
【手続補正１】
【補正対象書類名】特許請求の範囲
【補正対象項目名】全文
【補正方法】変更
【補正の内容】
【特許請求の範囲】
【請求項１】
遊技用価値を用いて遊技を行うことが可能な遊技機であって、
透光性を有し、遊技者が視認可能に配置された第１導光板と、
透光性を有し、遊技者が視認可能に配置された第２導光板と、
前記第１導光板と前記第２導光板とを対面させて保持する保持部材と、を備え、
前記第１導光板は、該第１導光板の側面から内部に入射される光源からの光により発光して該第１導光板に画像を表示させる第１発光部を有するとともに、光源からの光が入射される面から離れた位置に第１取付部が設けられ、
前記第２導光板は、該第２導光板の側面から内部に入射される光源からの光により発光して該第２導光板に前記第１導光板とは異なる画像を表示させる第２発光部を有するとともに、光源からの光が入射される面から離れ、かつ前記第１導光板の第１取付部とは異なる位置に第２取付部が設けられ、
前記保持部材には、前記第１導光板の第１取付部に対応する位置に第１固定部が設けられているとともに前記第２導光板の第２取付部に対応する位置に第２固定部が設けられており、該保持部材は、前記第１固定部と前記第１取付部とが第１の係合部材で係合されることにより前記第１導光板を保持するとともに、前記第２固定部と前記第２取付部とが第２の係合部材で係合されることにより前記第２導光板を保持し、
前記第１導光板及び前記第２導光板のうち、一方の導光板に画像を表示して行う演出と、両方の導光板に画像を表示して行う演出とを実行可能な演出実行手段を更に備える、
ことを特徴とする遊技機。
【請求項２】
遊技用価値を用いて遊技を行うことが可能な遊技機であって、
透光性を有し、遊技者が視認可能に配置された第１導光板と、
透光性を有し、遊技者が視認可能に配置された第２導光板と、
前記第１導光板と前記第２導光板とを対面させて保持する保持部材と、を備え、
前記第１導光板は、該第１導光板の側面から内部に入射される光源からの光により発光して該第１導光板の板面に画像を表示させる第１発光部を有するとともに、光源からの光が入射される面から離れた位置に第１被当接部が設けられ、
前記第２導光板は、該第２導光板の側面から内部に入射される光源からの光により発光して該第２導光板の板面に前記第１導光板とは異なる画像を表示させる第２発光部を有するとともに、光源からの光が入射される面から離れ、かつ前記第１導光板の第１被当接部とは異なる形状の第２被当接部が設けられ、
前記保持部材には、前記第１導光板を保持するときに該第１導光板の第１被当接部に当接する第１当接部が設けられているとともに、前記第２導光板を保持するときに該第２導光板の第２被当接部に当接する第２当接部が設けられ、
前記第１導光板及び前記第２導光板のうち、一方の導光板の板面に画像を表示して行う演出と、両方の導光板の板面に画像を表示して行う演出とを実行可能な演出実行手段を更に備える、
ことを特徴とする遊技機。
【手続補正２】
【補正対象書類名】明細書
【補正対象項目名】０００７
【補正方法】変更
【補正の内容】
【０００７】
（１）  上記目的を達成するため、本発明の第１の観点に係る遊技機は、遊技用価値を用いて遊技を行うことが可能な遊技機（例えば、パチンコ遊技機１）であって、透光性を有し、遊技者が視認可能に配置された第１導光板（例えば、前導光板４２Ａ）と、透光性を有し、遊技者が視認可能に配置された第２導光板（例えば、後導光板４２Ｂ）と、前記第１導光板と前記第２導光板とを対面させて保持する保持部材（例えば、フレーム体５０）と、を備え、前記第１導光板は、該第１導光板の側面から内部に入射される光源からの光により発光して該第１導光板に画像を表示させる第１発光部（例えば、前導光板４２Ａの前面と背面とに形成された発光部４６Ａａ、４６Ａｂ）を有するとともに、光源からの光が入射される面から離れた位置に第１取付部が設けられ（例えば集光レンズ６２と面しない位置に貫通孔４３が形成されるなど）、前記第２導光板は、該第２導光板の側面から内部に入射される光源からの光により発光して該第２導光板に前記第１導光板とは異なる画像を表示させる第２発光部を有するとともに（例えば、後導光板４２Ｂの前面と背面とに形成された発光部４６Ｂａ、４６Ｂｂ）、光源からの光が入射される面から離れ、かつ前記第１導光板の第１取付部とは異なる位置に第２取付部が設けられ（例えば、集光レンズ６２と面しない位置で、かつ前導光板４２Ａの貫通孔４３とは異なる位置に貫通孔４３が形成されるなど）、前記保持部材には、前記第１導光板の第１取付部に対応する位置に第１固定部が設けられているとともに前記第２導光板の第２取付部に対応する位置に第２固定部が設けられており、該保持部材は、前記第１固定部と前記第１取付部とが第１の係合部材で係合されることにより前記第１導光板を保持するとともに、前記第２固定部と前記第２取付部とが第２の係合部材で係合されることにより前記第２導光板を保持し（例えば、フレーム体５０の前面に、前導光板４２Ａの貫通孔４３に対応して凹部５２ｅ、５４ｅ、５６ｅが形成され、フレーム体５０の背面に、後導光板４２Ｂの貫通孔４３に対応して凹部５２ｆ、５４ｆ、５６ｆが形成され、前面の凹部５２ｅ、５４ｅ、５６ｅを通じて前導光板４２Ａをフレーム体５０のネジ孔５２ｄ、５４ｄ、５６ｄにネジ止めするとともに、背面の凹部５２ｆ、５４ｆ、５６ｆを通じて後導光板４２Ｂをフレーム体５０のネジ孔５２ｄ、５４ｄ、５６ｄにネジ止めするなど）、前記第１導光板及び前記第２導光板のうち、一方の導光板に画像を表示して行う演出と、両方の導光板に画像を表示して行う演出とを実行可能な（例えば、後導光板４２Ｂのみに画像を表示する演出（図１４（ａ）、（ｂ））、前導光板４２Ａのみに画像を表示する演出（図１５（ａ）、（ｂ））、及び前導光板４２Ａ及び後導光板４２Ｂに画像を表示する演出（図１４（ｃ））を実行する）演出実行手段（例えば、表示用ＬＥＤ６７を制御するためのＬＥＤ基板６６）を更に備える、ことを特徴とする。
【手続補正３】
【補正対象書類名】明細書
【補正対象項目名】０００９
【補正方法】変更
【補正の内容】
【０００９】
（２）  本発明の第２の観点に係る遊技機は、遊技用価値を用いて遊技を行うことが可能な遊技機（例えば、パチンコ遊技機１）であって、透光性を有し、遊技者が視認可能に配置された第１導光板（例えば、前導光板１４２Ａ）と、透光性を有し、遊技者が視認可能に配置された第２導光板（例えば、後導光板１４２Ｂ）と、前記第１導光板と前記第２導光板とを対面させて保持する保持部材（例えば、フレーム枠体５０４）と、を備え、前記第１導光板は、該第１導光板の側面から内部に入射される光源からの光により発光して該第１導光板の板面に画像を表示させる第１発光部（例えば、前導光板１４２Ａの背面に形成された発光部４６）を有するとともに、光源からの光が入射される面から離れた位置に第１被当接部（例えば、前導光板１４２Ａに、集光レンズ６２と面しない位置に差込部１４３Ａが形成されるなど）が設けられ、前記第２導光板は、該第２導光板の側面から内部に入射される光源からの光により発光して該第２導光板の板面に前記第１導光板とは異なる画像を表示させる第２発光部（例えば、後導光板４２Ｂの背面とに形成された発光部４６）を有するとともに、光源からの光が入射される面から離れ、かつ前記第１導光板の第１被当接部とは異なる形状の第２被当接部が設けられ（例えば、後導光板１４２Ｂに、集光レンズ６２と面しない位置に、前導光板１４２Ａの差込部１４３Ａとは異なる形状の差込部１４３Ｂが形成されるなど）、前記保持部材には、前記第１導光板を保持するときに該第１導光板の第１被当接部に当接する第１当接部が設けられているとともに（例えば、フレーム枠体５０４に、前導光板１４２Ａを保持するときに差込部１４３Ａと当接する差込溝５０８ａが形成されるなど）、前記第２導光板を保持するときに該第２導光板の第２被当接部に当接する第２当接部が設けられ（例えば、フレーム枠体５０４に、後導光板１４２Ｂを保持するときに差込部１４３Ｂと当接する差込溝５０８ｂが形成されるなど）、前記第１導光板及び前記第２導光板のうち、一方の導光板の板面に画像を表示して行う演出と、両方の導光板の板面に画像を表示して行う演出とを実行可能な（例えば、後導光板４２Ｂのみに画像を表示する演出（図１４（ａ）、（ｂ））、前導光板４２Ａのみに画像を表示する演出（図１５（ａ）、（ｂ））、及び前導光板４２Ａ及び後導光板４２Ｂに画像を表示する演出（図１４（ｃ））を実行する）演出実行手段（例えば、表示用ＬＥＤ６７を制御するためのＬＥＤ基板６６）を更に備える、ことを特徴とする。